(57)【要約】【課題】反転したラッチが復帰する際の音を消音することができると共に、扉を閉じた際に、反転したラッチを速やかに復帰させることができるラッチ錠を提供することである。【解決手段】ラッチ６を錠箱５から突出方向に押圧する押圧部材８と、押圧部材８を突出方向に付勢する付勢部材９と、ラッチ６と係合しラッチ６の反転を阻止する反転阻止部材６５を有し、反転阻止部材６５は、ラッチ６の突出方向と交差する方向に進退移動してラッチ６と係合・離脱するものであり、プッシュプルハンドルを操作することによって動作する駆動機構を有し、駆動機構は、押圧部材８及び反転阻止部材６５と直接的または間接的に係合して押圧部材８と反転阻止部材６５を連係動作させるものであり、駆動機構によって押圧部材８を退入方向へ移動させる動作と、反転阻止部材６５とラッチ６の係合を外す動作が連係して実行される。【選択図】図４
2018141340.tif 000002
【特許請求の範囲】
【請求項１】
プッシュプルハンドルと組み合わされるラッチ錠であって、本体箱の中に反転可能なラッチを有し、プッシュプルハンドルを操作することにより、ラッチの反転が許容される状態となるラッチ錠において、
前記ラッチを本体箱から突出方向に押圧する押圧部材と、
前記押圧部材を突出方向に付勢する付勢部材と、
前記ラッチと係合しラッチの反転を阻止する反転阻止部材を有し、
前記反転阻止部材は、ラッチの突出方向と交差する方向に進退移動して前記ラッチと係合・離脱するものであり、
プッシュプルハンドルを操作することによって動作する駆動機構を有し、
前記駆動機構は、前記押圧部材及び前記反転阻止部材と直接的または間接的に係合して前記押圧部材と前記反転阻止部材を連係動作させるものであり、
前記駆動機構によって前記押圧部材を退入方向へ移動させる動作と、反転阻止部材とラッチの係合を外す動作が連係して実行されることを特徴とするラッチ錠。
【請求項２】
押圧部材と係合して押圧部材を動作させるリンク機構部を有し、
前記リンク機構部はリンク部材を有し、前記リンク部材は前記本体箱に固定されたリンク部材側固定回動軸を中心として揺動するものであり、
前記反転阻止部材は、揺動本体部と、ラッチと係合するラッチ係合部とを有し、前記本体箱に固定された反転阻止部材側固定回動軸を中心として揺動するものであり、
前記リンク部材と前記揺動本体部は連結軸を介して係合しており、
前記駆動機構が反転阻止部材の揺動本体部又はリンク部材と係合し、
揺動本体部が反転阻止部材側固定回動軸を中心として揺動することに連動して、リンク部材がリンク部材側固定回動軸を中心として揺動するか、又は、
リンク部材がリンク部材側固定回動軸を中心として揺動することに連動して、揺動本体部が反転阻止部材側固定回動軸を中心として揺動することを特徴とする請求項１に記載のラッチ錠。
【発明の詳細な説明】
【技術分野】
【０００１】
本発明は、扉に設置されるラッチ錠に関するものである。
【背景技術】
【０００２】
扉が開閉するときには、扉内（錠箱内）に退入しラッチが元の位置に復帰することに起因するカチッという音が生じる。
この音は、病院や図書館等の静寂な環境下においては耳障りであり、改善が望まれていた。特許文献１、２には、ラッチが錠箱から突出する際の移動速度を遅くし、音が生じにくくなるようにするための構成が開示されている。
【先行技術文献】
【特許文献】
【０００３】
【特許文献１】特許第３７１０１０４号公報
【特許文献２】特許第５６５９４３６号公報
【発明の概要】
【発明が解決しようとする課題】
【０００４】
ところで、特許文献１、２の様な従来の消音装置は、ラッチの移動速度を遅くするものであり、ラッチの移動速度を抑制するための部材同士の位置関係の微調整や、ラッチの移動速度を適度に調整するための調整作業が必要である。また、従来の消音装置では、ラッチの元の位置への復帰は、予め設定された時間が経過する必要があり、速やかに復帰させることができない。そのため、扉が閉じられてからラッチがラッチとして機能するまでに時間が掛かる。
すなわち、従来技術の構成では、ラッチが元の位置に戻る際に生じる音を抑制することと、退入したラッチを速やかに元の位置に復帰させることを両立することができない。
そこで本発明は、ラッチが元の位置に復帰する際の音を消音することができると共に、扉を閉じた際に、ラッチを速やかに元の位置に復帰させることができるラッチ錠を提供することを目的としている。
【課題を解決するための手段】
【０００５】
上記課題を解決するための請求項１に記載の発明は、プッシュプルハンドルと組み合わされるラッチ錠であって、本体箱の中に反転可能なラッチを有し、プッシュプルハンドルを操作することにより、ラッチの反転が許容される状態となるラッチ錠において、前記ラッチを本体箱から突出方向に押圧する押圧部材と、前記押圧部材を突出方向に付勢する付勢部材と、前記ラッチと係合しラッチの反転を阻止する反転阻止部材を有し、前記反転阻止部材は、ラッチの突出方向と交差する方向に進退移動して前記ラッチと係合・離脱するものであり、プッシュプルハンドルを操作することによって動作する駆動機構を有し、前記駆動機構は、前記押圧部材及び前記反転阻止部材と直接的または間接的に係合して前記押圧部材と前記反転阻止部材を連係動作させるものであり、前記駆動機構によって前記押圧部材を退入方向へ移動させる動作と、反転阻止部材とラッチの係合を外す動作が連係して実行されることを特徴とするラッチ錠である。
【０００６】
請求項１に記載の発明では、ラッチを本体箱から突出方向に押圧する押圧部材と、押圧部材を突出方向に押圧する付勢部材を有するので、ラッチは突出方向に押圧されて扉から突出している。
また、ラッチと係合しラッチの反転を阻止する反転阻止部材を有するので、閉扉時のラッチの反転が阻止されている。
さらに、反転阻止部材は、ラッチの突出方向と交差する方向に進退移動してラッチと係合・離脱するものであるので、反転阻止部材をラッチから離脱させてラッチとの係合を解除し、ラッチを反転可能な状態にすることができる。
その際、反転阻止部材はラッチの突出方向と交差する方向に進退するので、反転阻止部材の進退にラッチが追従しない。すなわち、反転阻止部材は、ラッチの反転が可能な状態と不能な状態とを切り替える機能のみを有しており、ラッチの姿勢及び位置を不用意に変更することはない。
さらに、プッシュプルハンドルを操作することによって動作する駆動機構を有し、駆動機構は、押圧部材及び反転阻止部材と直接的または間接的に係合して押圧部材と反転阻止部材を連係動作させるものであり、駆動機構によって押圧部材を退入方向へ移動させる動作と、反転阻止部材とラッチの係合を外す動作が連係して実行される。
そのため、ラッチが反転可能な状態のときには、ラッチは押圧部材によって押圧されていない。そして、開扉操作によって、扉が回動するとラッチは扉枠と接触して反転しながら退入方向へ移動することができる。すなわち、このときラッチには扉枠側からのみ外力を受けることになり、ラッチの姿勢及び位置が変更されるが、ラッチと扉枠の衝突音はほとんど生じない。
また、プッシュプルハンドルを操作することによって、押圧部材が突出側へ移動してラッチに接近し、ラッチを押圧して突出位置まで移動させる。同時に、反転阻止部材がラッチに接近して係合し、ラッチは反転不能な状態となる。その際、プッシュプルハンドルをゆっくり操作すると、ラッチが元の突出位置に復帰することに起因する音が生じにくい。
【０００７】
請求項２に記載の発明は、押圧部材と係合して押圧部材を動作させるリンク機構部を有し、前記リンク機構部はリンク部材を有し、前記リンク部材は前記本体箱に固定されたリンク部材側固定回動軸を中心として揺動するものであり、前記反転阻止部材は、揺動本体部と、ラッチと係合するラッチ係合部とを有し、前記本体箱に固定された反転阻止部材側固定回動軸を中心として揺動するものであり、前記リンク部材と前記揺動本体部は連結軸を介して係合しており、前記駆動機構が反転阻止部材の揺動本体部又はリンク部材と係合し、揺動本体部が反転阻止部材側固定回動軸を中心として揺動することに連動して、リンク部材がリンク部材側固定回動軸を中心として揺動するか、又は、リンク部材がリンク部材側固定回動軸を中心として揺動することに連動して、揺動本体部が反転阻止部材側固定回動軸を中心として揺動することを特徴とする請求項１に記載のラッチ錠である。
【０００８】
請求項２に記載の発明では、押圧部材と係合して押圧部材を動作させるリンク機構部を有し、リンク機構部はリンク部材を有し、リンク部材は本体箱に固定されたリンク部材側固定回動軸を中心として揺動するものであり、反転阻止部材は、揺動本体部と、ラッチと係合するラッチ係合部とを有し、本体箱に固定された反転阻止部材側固定回動軸を中心として揺動するものであり、リンク部材と揺動本体部は連結軸を介して係合している。
すなわち、リンク部材を有するリンク機構部と、揺動本体部を有する反転阻止部材は、連結軸を介して係合しており、リンク機構部と反転阻止部材はリンクして動作する。
そして、駆動機構が反転阻止部材の揺動本体部又はリンク部材と係合し、揺動本体部が反転阻止部材側固定回動軸を中心として揺動することに連動して、リンク部材がリンク部材側固定回動軸を中心として揺動するか、又は、リンク部材がリンク部材側固定回動軸を中心として揺動することに連動して、揺動本体部が反転阻止部材側固定回動軸を中心として揺動する。
【発明の効果】
【０００９】
本発明のラッチ錠は、扉内に退入したラッチが突出して元の位置に復帰する際に生じる音を低減することができる。また、扉を閉じた際に、プッシュプルハンドルを操作することにより、ラッチを速やかに元の位置に復帰させることができる。
すなわち、本発明のラッチ錠は、ラッチが元の位置に戻る際に生じる音を抑制することと、ラッチを速やかに元の位置に復帰させることを両立することができる。
【図面の簡単な説明】
【００１０】
【図１】本発明の実施形態に係るラッチ錠の正面図であり、ラッチが扉枠側の受け部に係合している状態を示す。
【図２】施錠状態の図１のラッチ錠の内部構造を示す正面図である。
【図３】解錠状態の図１のラッチ錠の内部構造を示す正面図である。
【図４】図３においてプッシュプルハンドルが操作されたラッチ錠の内部構造を示す正面図である。
【図５】図３に示す解錠状態のラッチ錠の内部構造において、施錠機構を除いた正面図である。
【図６】図４に示すラッチ錠の内部構造において、施錠機構を除いた正面図である。
【図７】（ａ）は、ラッチ錠の主要部であって、ラッチの反転が阻止されている状態を示す斜視図であり、（ｂ）は、（ａ）の正面図である。
【図８】（ａ）は、ラッチ錠の主要部であって、ラッチの反転が可能な状態を示す斜視図であり、（ｂ）は、（ａ）の正面図である。
【図９】図８（ｂ）とは異なる動作によって、ラッチの反転が可能な状態となったラッチ錠の主要部の正面図である。
【図１０】ラッチ錠の主要部の分解斜視図である。
【図１１】図１０の押圧部材と圧縮ばねの断面斜視図である。
【図１２】図１のラッチ錠の錠箱の斜視図である。
【図１３】（ａ）はラッチケースの退入側上方から見た斜視図であり、（ｂ）は（ａ）の分解斜視図であり、（ｃ）はラッチケースの突出側下方から見た斜視図である。
【図１４】（ａ）はラッチの退入側上方から見た斜視図であり、（ｂ）はラッチの突出側下方から見た斜視図である。
【図１５】ラッチが収容されたラッチケースが仕切部に装着されており、ラッチがラッチケースから突出している状態を示す斜視図である。
【図１６】ラッチが扉枠の受け部に係合している状態を示しており、（ａ）は施錠状態を示す正面図であり、（ｂ）は解錠された上に揺動部材の係合部が退避してラッチの係合凹部から外れた状態を示す正面図であり、（ｃ）は、（ｂ）の底面図である。
【図１７】扉が開いた際におけるラッチの姿勢を示すラッチ錠の底面図である。
【図１８】（ａ）は、図１７に示す状態からラッチが押圧部材で押圧されて突出し、さらに反転不能になった状態を示す正面図であり、（ｂ）は（ａ）の底面図であり、（ｃ）は、（ｂ）の状態で扉を閉じる途中の状態を示す底面図である。
【図１９】図１８（ｂ）に示す状態からプッシュプルハンドルが操作されて押圧部材が退避した状態のラッチ錠を示す底面図であり、（ａ）は、突出したラッチが扉枠に当接している状態を示しており、（ｂ）は、ラッチがラッチケース内に退入し、扉が完全に閉じた状態を示しており、（ｃ）は、（ｂ）の状態からプッシュプルハンドルが元に戻され、押圧部材がラッチを押圧すると共に、揺動部材の係合部がラッチの係合凹部に係合している状態を示している。
【発明を実施するための形態】
【００１１】
以下、図面を参照しながら、ラッチ錠３の概要を説明し、続いてラッチ錠３の詳細な構造を説明する。
図１に示す様に、扉１に本発明の実施形態に係るラッチ錠３が設けられている。ラッチ錠３は、従来のラッチ錠と同様に扉１に取り付けられている。図１では扉１が閉じた状態を示しており、ラッチ錠３のラッチ６が扉１から突出し、扉枠２側の凹部である受け部２ａに係合している。扉１が開く際には、ラッチ６が扉１内に退入し、ラッチ６と受け部２ａの係合が外れる。
【００１２】
図２に示す様に、ラッチ錠３は錠箱５（本体箱）と、錠箱５内に配置されたラッチユニット４、押圧部材８、圧縮ばね９（付勢部材）、揺動部材６５（反転阻止部材）、押圧片７１、７２（駆動機構）、リンク機構部７６、施錠機構１９を有しており、錠箱５は蓋部材５ａ（図１２）で閉塞された状態で扉１（図１）に装着されている。
【００１３】
図２、図１２に示す様に、錠箱５には仕切部５ｂが設けられている。仕切部５ｂは、略コの字形の薄板状の剛性を有する部材である。仕切部５ｂのコの字の開放側が突出側を向いており、仕切部５ｂの退入側の鉛直方向にのびる部位には、後述の押圧部材８を貫通させる孔５０ａ（図１２）が設けられている。また、仕切部５ｂの下面側の水平方向にのびる部位には、後述の揺動部材６５の係合部２５を挿通させる長孔５０ｂ（図１２）が設けられている。さらに、仕切部５ｂの上面側の水平方向にのびる部位には、後述のロック部材２１の係合部２１ａを挿通させる長孔５０ｃ（図１２）が設けられている。
【００１４】
仕切部５ｂは、錠箱５内にラッチユニット４を収容する所定の大きさの領域を形成する部材である。すなわち、錠箱５、蓋部材５ａ、仕切部５ｂによってラッチユニット４の突出側の側部以外が閉塞されている。ラッチユニット４の突出側の側部は開放されているが、図示しない抜け止めが施されている。
【００１５】
ラッチユニット４は、図１５に示す様に、ラッチ６と当該ラッチ６を収容するラッチケース７を有している。すなわち、ラッチ６を収容したラッチケース７が、錠箱５内に収容され、仕切部５ｂに固定されている。なお、図２乃至図６では、都合上、ラッチケース７は一部のみを描写している。
【００１６】
図１に示す様に、ラッチ６は錠箱５から突出しており、扉１の閉鎖時には扉枠２の受け部２ａ（凹部）に嵌まり込む。扉１の開閉時には、ラッチ６は、扉１の図示しない操作ハンドル（例えば、プッシュプルハンドル）が操作され、扉枠２と当接して錠箱５内に一時的に退入する。
【００１７】
ラッチ６は、図１４（ａ）、図１４（ｂ）に示す様に、樹脂で構成された本体部６ａと、金属板で構成された剛性部６ｂとが一体化された構造を有する。すなわち、ラッチ６の大半の部位を占める本体部６ａの表面の一部を、金属板をプレス成形して構成された剛性部６ｂが覆っている。
【００１８】
ラッチ６は反転ラッチであるが、反転するために必要な構造は従来のものと同様である。ラッチ６の正面側（突出側）には、扉１を開く際に扉枠２と当接する開時当接部３１ａと、扉１を閉じる際に扉枠２と当接する閉時当接部３１ｂが設けられている。開時当接部３１ａと閉時当接部３１ｂは、共に鉛直面を構成しており、平面視すると両者は鋭角を成している。
【００１９】
図１４（ａ）に示す様に、ラッチ６の背面側（退入側）には被押圧部１４が設けられている。被押圧部１４は、側面部１５、上面部１６、下面部１７を有する断面略コの字形を呈する部位であり、本体部６ａに形成されている。側面部１５は鉛直壁（垂直壁）を構成しており、上面部１６と下面部１７は、それぞれ対向する天面壁と底面壁を構成しており、上面部１６及び下面部１７が形成する天面及び底面は水平面である。
【００２０】
また、上面部１６には傾斜面部３５ａが形成されており、下面部１７には傾斜面部３５ｂが形成されている。傾斜面部３５ａ、３５ｂは同一面内にあり、ラッチ６を平面視すると傾斜面部３５ａ、３５ｂは重なる。
【００２１】
さらに、上面部１６には直交面部４４ａが形成されている。上面部１６を平面視すると、直交面部４４ａと傾斜面部３５ａは鋭角を成している。同様に、下面部１７には直交面部４４ｂが形成されており、直交面部４４ｂと傾斜面部３５ｂは鋭角を成している。直交面部４４ａ、４４ｂは、同一面内にある。
【００２２】
図１４（ａ）に示す様に、開時当接部３１ａは本体部６ａの一部であり、剛性部６ｂよりも若干突出した部位である。開時当接部３１ａは鉛直面であり、退入側の鉛直面である傾斜面部３５ａ、３５ｂと交差している。
【００２３】
図１４（ｂ）に示す様に、閉時当接部３１ｂも剛性部６ｂで覆われていない本体部６ａの一部である。閉時当接部３１ｂは、直交面部４４ａ、４４ｂと交差して連続している。すなわち、ラッチ６を平面視又は底面視すると、開時当接部３１ａ、閉時当接部３１ｂ、傾斜面部３５ａ（３５ｂ）、直交面部４４ａ（４４ｂ）は、菱形の四辺の位置にある。
被押圧部１４は、後述の押圧部材８が配置される部位である。
【００２４】
ラッチ６の上部には突出部３０、３３が設けられている。突出部３０、３３は、ラッチ６の高さ方向に突出した部位であり、両者の間には係合凹部３４が形成されている。係合凹部３４は、ラッチ６の進退する方向に沿ってのびる窪みである。突出部３０、３３のラッチ６が突出する側には起立部３２ａ、３２ｂが形成されている。起立部３２ａ、３２ｂは、ラッチ６の突出方向に対して直交する同一面内に形成された壁面である。係合凹部３４には剛性部６ｂが係合しており、係合凹部３４の底面は剛性部６ｂで覆われている。
【００２５】
図１４（ｂ）に示す様に、ラッチ６の下部にも係合凹部３４と同様の係合凹部３８を構成する突出部３６、３７が設けられている。係合凹部３８も係合凹部３４と同様の、ラッチ６の進退する方向に沿ってのびるくぼみである。また、突出部３６、３７のラッチ６が突出する側には起立部４０ａ、４０ｂが形成されており、係合凹部３８の底面（天面）は剛性部６ｂで覆われている。突出部３６、３７の起立部４０ａ、４０ｂは、突出部３０、３３の起立部３２ａ、３２ｂと同じ鉛直面内にある。
【００２６】
ラッチ６の開時当接部３１ａ、閉時当接部３１ｂ、傾斜面部３５ａ、３５ｂ、直交面部４４ａ、４４ｂ、起立部３２ａ、３２ｂ、４０ａ、４０ｂは、樹脂製の本体部６ａに設けられている。これらは、ラッチケース７や扉枠２と当接する部位である。
ラッチ６は、上下逆にして使用することにより、扉１の左右勝手違いや、内開きと外開きの仕様変更に対応することができる。
【００２７】
ラッチケース７は、図１３（ｂ）に示す様に、本体部１０と支持部１１とを有している。
本体部１０は、外形が略直方体形状を呈する四角筒状の中空の部材であり、図１３（ｂ）及び図１３（ｃ）に示す様に、側面を構成する側面壁部２６ａ、２６ｂと、上面を構成する天面壁部２７と、下面を構成する底面壁部２８とを有し、これらが四角筒状に連続した構造を呈している。
本体部１０は、突出側開口７ａ（図１３（ｃ））と退入側開口７ｂ（図１３（ｂ））とを有する。突出側開口７ａには縁３９ａ、３９ｂが設けられている。縁３９ａは天面壁部２７の下面側に突出した部位であり、縁３９ｂは底面壁部２８の上面側に突出した部位である。縁３９ａ、３９ｂによって、突出側開口７ａの開口面積が、本体部１０の内部空間の横断面積よりも若干小さくなっている。
【００２８】
図１３（ｂ）に示す様に、側面壁部２６ａの退入側端部には、突出係合部１２ａが設けられている。突出係合部１２ａは、側面壁部２６ａの退入側端部の高さ方向の中央部分が退入側に突出した部位である。突出係合部１２ａには係合孔１３ａが設けられている。
側面壁部２６ｂにも側面壁部２６ａと同様の係合孔１３ｂを有する突出係合部１２ｂが設けられている。突出係合部１２ａ、１２ｂは対向しており、係合孔１３ａ、１３ｂも対向している。
天面壁部２７には、突出側から退入側へのびる長孔２７ａが設けられている。
底面壁部２８には、突出側から退入側へのびる長孔２８ａが設けられている。
【００２９】
支持部１１は、外形が四角形の環状の部材であり、内部には開口１１ａが設けられている。支持部１１の両側部分には、それぞれ挿入部２４ａ、２４ｂが設けられている。挿入部２４ａ、２４ｂにおける退入側の部位には隆起部２５ａ、２５ｂが設けられている。支持部１１は、本体部１０の退入側開口７ｂに配置され、挿入部２４ａが係合孔１３ａに挿入されており、挿入部２４ｂが係合孔１３ｂに挿入されている。隆起部２５ａ、２５ｂは係合孔１３ａ、１３ｂに係合しており、挿入部２４ａ、２４ｂの抜け止めとして機能する。
【００３０】
本体部１０に支持部１１が装着されてラッチケース７が構成されている。ラッチケース７の突出側には突出側開口７ａがあり、退入側には支持部１１の開口１１ａがある。突出側開口７ａと開口１１ａは対向している。
【００３１】
図１５に示す様に、ラッチケース７内にはラッチ６が配置されている。ラッチ６が突出姿勢になると、図１４（ａ）、図１４（ｂ）に示すラッチ６の起立部３２ａ、３２ｂ、４０ａ、４０ｂが、ラッチケース７の縁３９ａ、３９ｂに当接する。その結果、ラッチ６の係合凹部３８はラッチケース７の長孔２８ａ及び仕切部５ｂの長孔５０ｂと平行になり、一致して連通する。このとき、直交面部４４ａ、４４ｂが、ラッチケース７の側面壁部２６ｂの内面に当接している。
【００３２】
ラッチ６が反転して姿勢を変更すると、ラッチ６の起立部３２ａ、３２ｂ、４０ａ、４０ｂが、ラッチケース７の縁３９ａ、３９ｂから離れ、傾斜面部３５ａ、３５ｂがラッチケース７の側面壁部２６ａの内面に当接する。ラッチ６が反転したときには、ラッチ６の係合凹部３８はラッチケース７の長孔２８ａ及び仕切部５ｂの長孔５０ｂと平行ではなくなる。
【００３３】
次に、施錠機構１９について説明する。
施錠機構１９は、従来のラッチ錠の施錠機構と同様の構造を有するものである。
図２に示す様に、施錠機構１９は、回動部材２０、ロック部材２１、ばね２２等を有する。
【００３４】
回動部材２０は、図示しない操作部材（サムターンや鍵）で操作されて回動する部材であり、回動中心から離れた部位にねじりばねであるばね２２の一端が取り付けられている。ばね２２の他端は錠箱５に固定されている。回動部材２０は、ばね２２によって一方向に付勢されている。回動部材２０には、半径方向にのびる押圧部２０ａ、２０ｂが設けられている。押圧部２０ａ、２０ｂは所定角度（例えば９０度）を成している。
【００３５】
ロック部材２１は、ラッチ６の係合凹部３４に係合する係合部２１ａと、被押圧部２１ｂを備えている。ロック部材２１は、図１２に示す錠箱５に固定された回動軸部６６ａに挿通されており、回動軸部６６ａを中心に回動可能である。回動軸部６６ａは錠箱５に片持ち状に固定されており、自由端側が蓋部材５ａを貫通するねじ６６ｂと螺合している。すなわち、ロック部材２１は、錠箱５と蓋部材５ａによって両端が支持された回動軸部６６ａによって回動可能に支持されている。被押圧部２１ｂは、回動部材２０の押圧部２０ａ、２０ｂの間に配置されている。
【００３６】
回動部材２０が回動するとロック部材２１が連動して回動する。すなわち、施錠機構１９が、図２に示す施錠状態から図３に示す解錠状態となるときには、回動部材２０が反時計回りに回動し、回動部材２０の押圧部２０ａが被押圧部２１ｂを押圧してロック部材２１を回動（揺動）させる。また、施錠機構１９が解錠状態から施錠状態となるときには、回動部材２０が時計回りに回動し、回動部材２０の押圧部２０ｂがロック部材２１の被押圧部２１ｂを押圧してロック部材２１を回動（揺動）させる。
【００３７】
回動部材２０は、ばね２２の付勢力に抗して回動し、特定の二つの回動位置でばね２２の付勢力が作用せず安定する。すなわち、ばね２２は、回動部材２０の回動に節度を持たせる機能を有しており、ある特定の二つの回動位置で安定する。特定の二つの回動位置とは、ロック部材２１の係合部２１ａが、ラッチ６と係合する施錠位置にくるときの回動位置（図２）と、ラッチ６の係合凹部３４から離間する解錠位置にくるときの回動位置（図３）である。
【００３８】
施錠機構１９のロック部材２１の係合部２１ａが、仕切部５ｂの長孔５０ｃ（図１２）とラッチケース７の長孔２７ａ（図１３（ａ））を貫通してラッチ６の係合凹部３４に係合すると、ラッチ６を反転不能にして施錠することができる。
また、回動部材２０を回転させるとロック部材２１の係合部２１ａをラッチ６の係合凹部３４から離脱させ、ラッチ６を反転可能な状態（解錠状態）にすることができる。
【００３９】
次に押圧部材８について説明する。
押圧部材８は、図１０、図１１に示す様に、棒状の細長い外形を呈する部材である。押圧部材８の一端は先端部８ａを構成しており、他端には後端フランジ部５６が設けられており、さらに後端面には有底の後端穴８ｂが設けられている。図１１に示す様に、後端穴８ｂは、押圧部材８の長手方向にのびており、底部に近づくほど幅狭（小径）となっている。
【００４０】
押圧部材８の後端穴８ｂには、圧縮ばね９（付勢部材）の先端側が挿入されている。圧縮ばね９は、先端側へいくほど縮径したコイルばねである。圧縮ばね９の後端側の端部は、錠箱５に設けられた突起部５３（図１２）と係合している。すなわち、圧縮ばね９の先端側は押圧部材８の後端穴８ｂに挿通されており、後端側は錠箱５の突起部５３に係合している。
【００４１】
また、後端フランジ５６部には、ガイド係合部５７ａ、５７ｂが設けられている。ガイド係合部５７ａ、５７ｂは、後端フランジ部５６の上端に設けられている。
さらに押圧部材８の途中の部位には中間フランジ部５４が設けられている。中間フランジ部５４には、ガイド係合部５５ａ、５５ｂが設けられている。ガイド係合部５５ａ、５５ｂは、中間フランジ部５４の下部に設けられている。
すなわち、後端フランジ部５６のガイド係合部５７ａ、５７ｂは、中間フランジ部５４のガイド係合部５５ａ、５５ｂよりも高い位置に設けられている。
【００４２】
中間フランジ部５４のガイド係合部５５ａは、蓋部材５ａのガイド溝６１ａに係合しており、ガイド係合部５５ｂは、錠箱５のガイド溝６１ｂに係合している。ガイド溝６１ａ、６１ｂは対向しており、ラッチ６の進退する方向にのびている。
後端フランジ部５６のガイド係合部５７ａは、蓋部材５ａのガイド溝６２ａに係合しており、ガイド係合部５７ｂは、錠箱５のガイド溝６２ｂに係合している。ガイド溝６２ａ、６２ｂは対向しており、ラッチ６の進退する方向にのびている。
すなわち、押圧部材８は、中間フランジ部５４及び後端フランジ部５６が錠箱５及び蓋部材５ａに支持されている。また、押圧部材８は、ラッチ６が進退する方向に往復移動可能である。
図１２に示す様に、ガイド溝６２ａ、６２ｂは、ガイド溝６１ａ、６１ｂよりも高い位置に設けられている。
【００４３】
次に揺動部材６５（反転阻止部材）について説明する。
揺動部材６５は、図７（ｂ）及び図１０に示す様に、外形が横長の略直方体形状を呈する揺動本体部７５と、薄板状の係合部２５（ラッチ係合部）を有する。係合部２５は、揺動本体部７５の一端側（図７（ｂ）で見て左端側）の上部に装着されている。また、一端側の下部には取付部６９が設けられており、取付部６９には螺旋コイル状のばね７０（図２）の上部が取り付けられている。ばね７０の下部は錠箱５の底面に当接している。
【００４４】
また、図１０に示す様に、揺動本体部７５には回動軸挿通孔６５ａと連結部材挿通孔６５ｂが設けられている。回動軸挿通孔６５ａには、回動軸部４１ａ（反転阻止部材側固定回動軸）が挿通されている。回動軸部４１ａは、図１２に示す様に錠箱５に固定されている。回動軸部４１ａは、ねじ４１ｂと螺合するねじ穴を有している。ねじ４１は、蓋部材５ａを貫通して回動軸部４１ａのねじ穴と螺合している。すなわち、揺動部材６５の揺動本体部７５は、回動軸部４１ａを介して錠箱５に対して回動可能に支持されている。
【００４５】
連結部材挿通孔６５ｂは回動軸挿通孔６５ａから離間した位置にあり、連結部材挿通孔６５ｂには図１０に示す連結部材４７が挿通されている。
すなわち、連結部材挿通孔６５ｂに挿通された連結部材４７は、回動軸挿通孔６５ａに挿通された回動軸部４１ａの軸芯から離間した位置にある。そのため、連結部材４７は、回動軸部４１ａを中心に揺動可能である。
【００４６】
図２、図７（ｂ）に示す押圧片７１、７２（駆動機構）は、図示しないプッシュプルハンドルを操作することによって動作する細長い板状の部材である。すなわち、例えば押圧片７１はプッシュ側ハンドルと動力伝達可能に連結されており、押圧片７２はプル側ハンドルに動力伝達可能に連結されている。
【００４７】
押圧片７１、７２は、図７（ｂ）において、紙面と直交する方向に重なった配置となっており、押圧片７２は、押圧片７１と重なっていて見えない。すなわち、押圧片７１、７２は、先端同士が付き合わせ状態で対向している。図８（ｂ）では、押圧片７１が左方に移動したため、押圧片７２の一部が見えている。
押圧片７１は蓋部材５ａに設けられた孔５２に挿通されており、押圧片７２は錠箱５に設けられた孔５１に挿通されている。
【００４８】
押圧片７１、７２は、後述の揺動部材６５の揺動本体部７５の対向部６７とリンク部材２３の対向部６８の間に配置されている。プッシュ側ハンドルを操作すると、押圧片７１が対向部６７側に移動して対向部６７を押圧し、揺動部材６５及びリンク部材２３を回動させることができる。また、プル側ハンドルを操作すると、押圧片７２が対向部６８側に移動して対向部６８を押圧し、リンク部材２３及び揺動本体部７５を回動させることができる。
【００４９】
次に、本発明の特徴的な構成であるリンク機構部７６について説明する。
リンク機構部７６は、図５乃至図１０等に示す様に、リンク部材２３と牽引部材２９を有している。図５、図６では、錠箱５内の施錠機構１９の描写を省略している。
【００５０】
リンク部材２３は、外形が縦長の略直方体形状を呈する部材である。図１０に示す様に、リンク部材２３には、回動軸挿通孔２３ａと連結部材挿通孔２３ｂが設けられている。
【００５１】
また、リンク部材２３は、一対のアーム部４３ａ、４３ｂを有している。両アーム部４３ａ、４３ｂは所定の間隔を置いて片持ち状に平行にのびている。両アーム部４３ａ、４３ｂの間には、後述の押圧部材８を挿通可能な空間である押圧部材挿通領域４６が形成されている。アーム部４３ａ、４３ｂの先端付近には、それぞれ支持孔４５ａ、４５ｂが設けられている。
【００５２】
また、アーム部４３ａ、４３ｂのラッチ６の退入側には押圧部材係合部４９ａ、４９ｂが形成されている。押圧部材係合部４９ａ、４９ｂは、同一面内に形成されており、押圧部材８の後端フランジ部５６が当接して係合する係合面である。
【００５３】
回動軸挿通孔２３ａには、回動軸部４２ａ（リンク部材側固定回動軸）が挿通されている。回動軸部４２ａは、図１２に示す様に錠箱５に固定されている。回動軸部４２ａは、ねじ４２ｂと螺合するねじ穴を有している。ねじ４２は、蓋部材５ａを貫通して回動軸部４２ａのねじ穴と螺合している。すなわち、リンク部材２３は、回動軸部４２ａを介して錠箱５に対して回動可能に支持されている。
【００５４】
連結部材挿通孔２３ｂには連結部材４７（連結軸）が挿通されている。すなわち、連結部材４７は、揺動部材６５の揺動本体部７５の連結部材挿通孔６５ｂと、リンク部材２３の連結部材挿通孔２３ｂを同時に挿通している。換言すると、揺動部材６５とリンク部材２３は、連結部材４７を介して互いに相対回動可能に連結されている。
連結部材挿通孔２３ｂに挿通された連結部材４７は、回動軸挿通孔２３ａに挿通された回動軸部４２ａの軸芯から離間した位置にある。そのため、連結部材４７は、回動軸部４２ａを中心に揺動可能である。
【００５５】
次に、牽引部材２９について説明する。
牽引部材２９は、略縦長の外形を有しており、下方側には一対の平行にのびるアーム部５９ａ、５９ｂが設けられており、上方側には軸挿通部６３が設けられている。
アーム部５９ａ、５９ｂにおける退入側の端部には押圧部６０ａ、６０ｂが形成されている。押圧部６０ａ、６０ｂは、同一面内に形成されている。
軸挿通部６３は、錠箱５に固定された軸部材６４（図１２）を挿通させる長孔６３ａを形成している。
さらに、牽引部材２９の中央部分には、リンク部材２３の支持孔４５ａ、４５ｂと係合する係合突起部５８ａ、５８ｂ（５８ｂは図示せず）が設けられている。すなわち、係合突起部５８ａ、５８ｂは、下側のアーム部５９ａ、５９ｂと上側の軸挿通部６３の間にある。
【００５６】
また、牽引部材２９は、軸部材６４を介して錠箱５に支持されている。牽引部材２９の長孔６３ａは、上側がラッチ６の突出側となり、下側がラッチ６の退入側となるように傾斜している。
【００５７】
次に、各部材同士の関係について説明する。
押圧部材８は、中間フランジ部５４のガイド係合部５５ａ、５５ｂが図１２に示す錠箱５側のガイド溝６１ａ、６１ｂに係合しており、後端フランジ部５６のガイド係合部５７ａ、５７ｂが図１２に示す錠箱５側のガイド溝６２ａ、６２ｂに係合している。これにより、押圧部材８の左右両側が錠箱５に支持されている。また、ガイド係合部５５ａ、５５ｂとガイド係合部５７ａ、５７ｂの高さ位置が相違しているので、錠箱５側への押圧部材８の支持は極めて安定している。すなわち、押圧部材８は、水平姿勢で安定しており、ラッチ６の突出側（突出方向）及び退入側（退入方向）へのスライド移動も安定した水平姿勢で行われる。
【００５８】
押圧部材８の後端穴８ｂには、圧縮ばね９の先端側の一部が挿入されており、圧縮ばね９の後端側は錠箱５の突起部５３に係合している。そのため、押圧部材８が後端側（ラッチ６の退入側）へ移動すると、圧縮ばね９は圧縮されて付勢力が生じる。すなわち、押圧部材８はラッチ６の突出側（突出方向）へ付勢される。
【００５９】
図２に示す様に、押圧部材８の先端部８ａは、仕切部５ｂに装着されたラッチケース７内のラッチ６の被押圧部１４の側面部１５に当接し、ラッチ６を突出方向に押圧する。すなわちラッチ６に圧縮ばね９の付勢力が作用すると、ラッチ６は錠箱５から突出する。
【００６０】
揺動部材６５は、回動軸部４１ａに回動可能に装着されており、取付部６９に取り付けられたばね７０（図２）の下端部分が錠箱５の底面に当接している。ばね７０は、係合部２５を上昇させる様に揺動部材６５（揺動本体部７５）を付勢して揺動部材６５を支持している。なお、このばね７０は、省略することもできる。
【００６１】
リンク部材２３は、回動軸部４２ａに回動可能に装着されている。また、揺動部材６５の連結部材挿通孔６５ｂとリンク部材２３の連結部材挿通孔２３ｂには、共通の連結部材４７が挿通されている。すなわち、揺動部材６５とリンク部材２３は、連結部材４７によって互いに相対回動可能に連結されている。また、連結部材４７は、図２等に示す様に、揺動部材６５の揺動本体部７５の回動軸部４１ａとリンク部材２３の回動軸部４２ａの中間に配置されている。図１２では、連結部材４７が、錠箱５に固定された回動軸部４１ａ、４２ａの間に配置されている状態を示している。連結部材４７は錠箱５に固定されておらず、上下に移動する。
【００６２】
図７（ｂ）に示す様に、揺動部材６５の揺動本体部７５とリンク部材２３はそれぞれ対向部６７、６８を有しており、対向部６７、６８は、互いに間隔を置いて対向している。対向部６７、６８の間には、外開きの扉１（図１）に設けられた図示しないプッシュプルハンドルと連動する押圧片７１、７２が配置されている。押圧片７１は、扉１の室内側の操作部材（プッシュ側ハンドル）と連動して動作する部材であり、押圧片７２は、扉１の室外側の操作部材（プル側ハンドル）と連動して動作する部材である。
【００６３】
押圧片７１、７２は、図７（ｂ）において、紙面と直交する方向に重なった配置となっており、押圧片７１が手前側にあり、押圧片７２は押圧片７１と重なっていて見えない。また、図８（ｂ）では、押圧片７１が左方に移動したため、押圧片７２の先端部分の一部が見えている。
【００６４】
押圧片７１、７２がこの様な配置となっているため、押圧片７１から回動軸部４１ａまでの距離と、押圧片７２から回動軸部４２ａまでの距離は同じである。そのため、回動軸部４１ａ周りのモーメントと回動軸部４２ａ周りのモーメントが同じであり、扉１の室内側及び室外側からプッシュプルハンドルを操作する際に必要な力の大きさが同じになる。すなわち、プル側ハンドルとプッシュ側ハンドルの操作に必要な力の大きさが同じである。
【００６５】
牽引部材２９の軸挿通部６３の長孔６３ａには、錠箱５に固定された軸部材６４が挿通されている。また、牽引部材２９は、リンク部材２３のアーム部４３ａ、４３ｂの間（図１０に示す押圧部材挿通領域４６）に配置されており、牽引部材２９の係合突起部５８ａ、５８ｂがアーム部４３ａ、４３ｂの支持孔４５ａ、４５ｂに嵌まっている。すなわち、牽引部材２９とリンク部材２３は、係合突起部５８ａ、５８ｂを中心に互いに相対回動が可能である。
【００６６】
牽引部材２９とリンク部材２３は相対回動が可能であるが、図５、図７（ａ）、図７（ｂ）に示すある回動位置において、牽引部材２９のアーム部５９ａ、５９ｂの押圧部６０ａ、６０ｂ（図１０）と、リンク部材２３のアーム部４３ａ、４３ｂの押圧部材係合部４９ａ、４９ｂが同一面内に配置される。
【００６７】
また、図６、図８（ａ）、図８（ｂ）に示す別の回動位置においては、牽引部材２９のアーム部５９ａ、５９ｂの押圧部６０ａ、６０ｂ（図１０）が、リンク部材２３のアーム部４３ａ、４３ｂの押圧部材係合部４９ａ、４９ｂよりも退入側（退入方向）に移動する。
【００６８】
押圧部材８は、リンク部材２３のアーム部４３ａ、４３ｂの間（図１０に示す押圧部材挿通領域４６）であって、牽引部材２９のアーム部５９ａ、５９ｂの間を挿通している。
また、図７（ａ）に示す様に、押圧部材８の後端フランジ部５６が、アーム部４３ａ、４３ｂの押圧部材係合部４９ａ、４９ｂとアーム部５９ａ、５９ｂの押圧部６０ａ、６０ｂ（図１０）に対向し、当接している。
【００６９】
図５に示す様に、押圧部材８は、圧縮ばね９（付勢部材）で突出側に付勢されており、先端部８ａがラッチ６の側面部１５を押圧し、ラッチ６がラッチケース７の縁３９（図１３（ｃ））に当接している。
さらに、揺動部材６５の係合部２５が、図１５に示す仕切部５ｂの長孔５０ｂと、ラッチケース７の長孔２８ａを貫通し、ラッチ６の係合凹部３８に係合している。
すなわち、圧縮ばね９の付勢力によって係合部２５が上昇し、ラッチ６の係合凹部３８に係合しており、ばね７０は補助的に揺動部材６５を付勢し、係合部２５を上昇させている。また、ばね７０は、揺動部材６５を支持する支持部材としても機能する。このばね７０は省略することもできる。
【００７０】
次に、ラッチ錠３の動作について説明する。
扉１（図１）が閉鎖されているときには、図１６（ａ）に示す様に、ラッチ６は扉枠２の受け部２ａに嵌まっている。すなわち、圧縮ばね９によって付勢された押圧部材８の先端部８ａがラッチ６の側面部１５を押圧し、ラッチ６はラッチケース７（錠箱５、扉１）から突出し、扉枠２の受け部２ａに侵入して係合している。
【００７１】
外開きの扉１を開く際、まず施錠機構１９（図２）を解錠状態にする。
室内側から扉１を開く際には、図示しないサムターンを操作して施錠機構１９を駆動し、図１６（ｂ）に示す様に、施錠機構１９の係合部２１ａをラッチ６の係合凹部３４から退避させて外し、ラッチ６を解錠状態とする。
【００７２】
人が室内から室外に出ようとするとき、外開きの扉１の室内側にあるプッシュ側ハンドル（図示せず）を操作することにより、リンク機構部７６が図７（ｂ）に示す状態から図８（ｂ）に示す状態に変化する。すなわち、図示しないプッシュ側ハンドルを操作すると、プッシュ側ハンドルと連動した押圧片７１（駆動機構）が左方に移動して揺動部材６５の対向部６７を押圧し、ばね７０（図２）及び圧縮ばね９の付勢力に抗して揺動部材６５が回動軸部４１ａを中心に反時計回り（矢印Ａ）に回動（揺動）し、係合部２５がラッチ６の係合凹部３８から外れ、図８（ｂ）、図１６（ｂ）に示す状態となる。すなわち、揺動部材６５（反転阻止部材）の係合部２５が、ラッチ６の突出方向（退入側から突出側に向かう方向）と交差する矢印Ａで示す方向に移動してラッチ６の係合凹部３８から外れる。
【００７３】
また、揺動部材６５が反時計回りに回動すると、図８（ｂ）に示す様に、連結部材４７が矢印Ｃで示す様に上方へ移動し、連結部材４７と連結されたリンク部材２３が回動軸部４２ａを中心に矢印Ｂで示す様に時計回りに回動する。その結果、リンク部材２３の支持孔４５ａ、４５ｂが矢印Ｄで示す様に退入側（退入方向）へ移動し、支持孔４５ａ、４５ｂと係合突起部５８ａ、５８ｂで係合した牽引部材２９が退入側へ移動する。牽引部材２９の軸挿通部６３の長孔６３ａには錠箱５に固定された軸部材６４が挿通されており、牽引部材２９は、長孔６３ａを軸部材６４に沿わせながら退入側へ移動する。その際、牽引部材２９が軸部材６４から抵抗を受け、牽引部材２９の姿勢が変化する。
【００７４】
すなわち、牽引部材２９は、退入側へ移動しながら、牽引部材２９の姿勢は、図７（ｂ）に示す状態から図８（ｂ）に示す状態に変化する。具体的には、牽引部材２９は、係合突起部５８ａ、５８ｂを中心に反時計回りに回動し、牽引部材２９のアーム部５９ａ、５９ｂが退入側へ移動する。そのため、アーム部５９ａ、５９ｂの押圧部６０ａ、６０ｂ（図１０）が押圧部材８の後端フランジ部５６を退入側へ押圧し、圧縮ばね９の付勢力に抗して押圧部材８を退入側へ牽引する。その結果、図１６（ｂ）、図１６（ｃ）に示す様に、押圧部材８が退入側へ移動し、押圧部材８の先端部８ａがラッチ６の側面部１５から離れる。
このとき、ラッチ６は突出側へ押圧されておらず、退入側へ容易に移動可能である。また、ラッチ６は反転可能な状態である。
【００７５】
この状態で扉１を開くと、ラッチ６の開時当接部３１ａが扉枠２に当接し、図１７に示す様に、ラッチ６は容易に反転しながらラッチケース７（錠箱５、扉１）内に入り込む。すなわち、ラッチ６は、扉１の開動作の抵抗とはならず、扉枠２に接触して姿勢を変更しながらラッチケース７内に退入する。
【００７６】
ここで、連結部材４７は、図１０に示す揺動部材６５の連結部材挿通孔６５ｂとリンク部材２３の連結部材挿通孔２３ｂの双方に挿通されており、揺動部材６５は回動軸部４１ａを中心に回動し、リンク部材２３は回動軸部４２ａを中心に回動する。ところが、連結部材４７と連結部材挿通孔６５ｂの間、及び連結部材４７と連結部材挿通孔２３ｂの間には若干のクリアランスがあり、このクリアランスの範囲で揺動部材６５とリンク部材２３は回動することができ、連結部材４７は上下移動することができる。
【００７７】
開時当接部３１ａは樹脂製の本体部６ａに形成された部位であり、ラッチ６が扉枠２と衝突する際の衝撃は緩和され、衝突音は生じにくい。また、ラッチ６が反転すると傾斜面部３５ａ、３５ｂがラッチケース７の側面壁部２６ａの内面に衝突することがあるが、傾斜面部３５ａ、３５ｂも樹脂製の本体部６ａに形成されているため、衝突の衝撃は緩和され、衝突音は生じにくい。
【００７８】
図１７に示す扉１が開いた状態で室内側の操作部材（プッシュ側ハンドル）から手を離すと、図６、図８（ｂ）に示す状態から図５、図７（ｂ）に示す状態に、押圧片７１が元の位置に戻って揺動部材６５の対向部６７を押圧しなくなり、図２に示す圧縮ばね９及びばね７０の付勢力によって揺動部材６５が時計回りに回動して元の姿勢に戻る。
【００７９】
すなわち、揺動部材６５が時計回りに回動するため、連結部材４７が下方に移動し、リンク部材２３が反時計回りに回動し、牽引部材２９が突出側へ移動する。すなわち、牽引部材２９の姿勢が元に戻り、牽引部材２９のアーム部５９ａが突出側へ移動する。その結果、牽引部材２９が押圧部材８の後端フランジ部５６を退入側（退入方向）へ牽引しなくなり、押圧部材８が圧縮ばね９の付勢力によって突出側へ移動し、先端部８ａがラッチ６の側面部１５を押圧する。そのため、ラッチ６はラッチケース７から突出し、起立部３２ａ、３２ｂ、４０ａ、４０ｂがラッチケース７の縁３９ａ、３９ｂに当接し、ラッチ６は元の姿勢に戻る。起立部３２ａ、３２ｂ、４０ａ、４０ｂは樹脂製の本体部６ａに形成された部位であるため、このときの衝突音は緩和される。
【００８０】
また、図１８（ａ）、図１８（ｂ）に示す様に、元の姿勢に戻ったラッチ６の係合凹部３８に、揺動部材６５の係合部２５が係合し、ラッチ錠３はラッチ６が反転不能な状態になる。
すなわち、係合部２５がラッチ６の突出方向と交差する方向から係合凹部３８に接近して係合し、ラッチ６が反転不能になる。
【００８１】
図１８（ａ）、図１８（ｂ）に示す状態のまま扉１を閉じると、反転不能な状態のラッチ６の閉時当接部３１ｂが扉枠２に衝突する。図１８（ｂ）に示す様に、反転していないラッチ６の閉時当接部３１ｂは扉枠２に対して傾斜している。そのため、扉１が閉じる際には、ラッチ６は、図１８（ｃ）に示す様に、閉時当接部３１ｂを扉枠２に対して摺動させながら扉１（ラッチケース７、錠箱５）内に退入する。そして、扉１を閉じて、ラッチ６が扉枠２の受け部２ａに対向すると、図１９（ｃ）に示す様に、ラッチ６は圧縮ばね９の付勢力で押圧部材８に押圧されて突出側へ移動し、受け部２ａに侵入して係合する。
【００８２】
このラッチ６の退入側への移動時及び突出側への移動時には、係合部２５が係合凹部３８に係合しているが、この係合はラッチ６のスライド移動の障害とはならない。すなわち、係合部２５と係合凹部３８の係合は、ラッチ６の反転を阻止するものであり、ラッチ６の退入側又は突出側へのスライド移動を阻止するものではない。
【００８３】
このときの扉１の閉鎖動作では、図１８（ｃ）に示す様に、ラッチ６が一時的にラッチケース７内に退入し、さらにラッチ６が受け部２ａに対向したときに突出して、ラッチ６の起立部３２ａ、３２ｂ、４０ａ、４０ｂがラッチケース７の縁３９ａ、３９ｂに当接する。そのため、起立部３２ａ、３２ｂ、４０ａ、４０ｂが樹脂素材であっても衝突音が生じてしまう。すなわち、開いた状態の扉１のプッシュプルハンドルから手を離しても、扉１を閉鎖状態にすることはできるが、衝突音が生じてしまう。
【００８４】
そこで、扉１を閉じる人は、図示しないプッシュプルハンドルを操作し、図１９（ａ）に示す様に、ラッチ６から押圧部材８を離脱させる。この状態で扉１を閉じると、ラッチ６は容易にラッチケース７内に退入し、図１９（ｂ）に示す状態になる。そして、扉１が閉鎖し、ラッチ６が扉枠２の受け部２ａに対向すると、扉１を閉じた人は、ラッチ６がラッチケース７に急激に衝突しない様にプッシュプルハンドルを操作する。この様に扉１を操作すると、ラッチ６に起因する音が生じない。
【００８５】
押圧部材８は、ラッチ６の突出側（突出方向）または退入側（退入方向）に移動してラッチ６を押圧したり、押圧を解除する。また、揺動部材６５（反転阻止部材）の係合部２５は、ラッチ６の突出方向と交差する方向に進退してラッチ６の係合凹部３８に係合したり、係合が外れる。すなわち、押圧部材８の進退する方向と、係合部２５の進退する方向は相違しており、互いに交差している。これにより、ラッチ６の係合凹部３８と係合している係合部２５は、押圧部材８の動きとは無関係に係合を解除することができる。
【００８６】
揺動部材６５の係合部２５はラッチ６の突出方向と交差する方向に進退するので、係合部２５の進退に対してラッチ６が追従移動しない。すなわち、揺動部材６５は、ラッチ６の反転が可能な状態と不能な状態とを切り替える機能のみを有しており、ラッチ６の姿勢及び突出方向（突出側又は退入側に向かう方向）の位置を不用意に変更することはない。
【００８７】
換言すると、押圧部材８の進退動作と係合部２５の進退動作は連動しているが、押圧部材８の進退動作は、係合部２５の進退動作を阻害することがない。また、係合部２５の進退動作が、押圧部材８の進退動作を阻害することはない。
【００８８】
具体的には、押圧部材８と係合部２５は、共にラッチ６に対して接近して押圧したり係合する。また、両者は、共にラッチ６から離脱する。ここで、押圧部材８がラッチ６から離脱する際に、係合部２５とラッチ６の離脱が妨げられることがなく、逆に、係合部２５がラッチ６から離脱する際に、押圧部材とラッチの離脱が妨げられることはない。
【００８９】
よって、押圧部材８の進退動作によって、圧縮ばね９（付勢部材）の付勢力をラッチ６に作用させたり、圧縮ばね９の付勢力がラッチ６に作用しないようにすることが確実に実施できる。また、係合部２５の進退動作によって、係合部２５をラッチ６の係合凹部３８に係合させたり、係合部２５をラッチ６の係合凹部３８から外すことが確実に実施できる。
【００９０】
そのため、ラッチ６が反転不能な状態となった上にラッチケース７内に十分に退入しないという事態は生じない。すなわち、ラッチ６の一部がラッチケース７から突出した状態で反転不能に固定されてラッチ６が扉枠２の受け部２ａから抜け出ず、扉枠２に対して扉１がロックされる事態は生じず、扉１を確実に開閉することができる。
【００９１】
扉１のプッシュプルハンドルの操作の仕方を工夫すれば、ラッチ６とラッチケース７の衝突音を生じさせることなく、ラッチ６を速やかに突出位置へ移動させて受け部２ａに係合させることができる。すなわち、ラッチ６（起立部３２ａ、３２ｂ、４０ａ、４０ｂ）がラッチケース７（縁３９ａ、３９ｂ）に接触する直前までは速やかにプッシュプルハンドルを操作し、両者が接触する直前にプッシュプルハンドルをゆっくり操作する。この様にプッシュプルハンドルを操作すると、衝突音の発生を防止すると共に、ラッチ６を速やかに扉枠２の受け部２ａに侵入させて反転不能な状態にすることができる。
【００９２】
プッシュプルハンドルを操作する人の手加減によって、ラッチ６がラッチケース７と衝突することを回避することができ、ラッチ６をラッチケース７にゆっくりと当接させて衝突音の発生を抑制し、且つ、ラッチ６の係合凹部３８に揺動部材６５の係合部２５を速やかに係合させてラッチ６を反転不能な状態にすることができる。
【００９３】
図１８（ａ）、図１８（ｂ）に示す状態のまま扉１を閉じると、反転不能な状態のラッチ６が扉枠２に衝突してしまう。そのため、扉１を閉じる室内から室外へ出た人が、室外側のプル側ハンドルを引きながらゆっくりと扉１を閉じる。扉１には、図示しないドアクローザ（自動閉鎖装置）が設けられており、扉１が閉鎖する速度が遅くなるようにプル側ハンドルを引きながら扉１を閉鎖する。
【００９４】
また、室外側から扉１を操作して開く場合に、室外側のプル側ハンドルを引くと、図９に示す様に、プル側ハンドルと連動した押圧片７２がリンク部材２３の対向部６８を押圧し、リンク部材２３と連結された揺動部材６５が矢印Ａで示す反時計回りに回動し、係合部２５がラッチ６の係合凹部３８から外れる。そして、押圧部材８が退入側へ移動し、押圧部材８の先端部８ａがラッチ６の側面部１５から離れ、ラッチ錠３は図１６（ｃ）に示す状態になる。
【００９５】
図１６（ｃ）に示すラッチ６は固定されておらず反転が可能であり、扉１を開いてラッチ６が扉枠２と衝突すると、図１７に示す様に、ラッチ６は容易に反転しながらラッチケース７内に入り込む。
そして、扉１を操作する人が室外から室内に入り、室外側のプル側ハンドルから手を離し、扉１が完全に閉鎖する前に室内側のプッシュ側ハンドルを操作し、プッシュ側ハンドルをゆっくりと元に戻すと、押圧部材８が突出側へゆっくり移動して先端部８ａがラッチ６を押圧する。その結果、ラッチ６がラッチケース７にゆっくり当接すると共に、揺動部材６５の係合部２５がラッチ６の係合凹部３８に係合し、図１９（ｃ）に示す状態となる。すなわち、ラッチ６が扉枠２の受け部２ａに係合し、さらにラッチ６は反転不能な状態となる。
【００９６】
以上説明したように、扉１を室内側から開いても、室外側から開いても、ラッチ錠３は同様に動作する。
すなわち、先に室内側のプッシュ側ハンドルを操作するか、室外側のプル側ハンドルを操作するかの違いだけであり、ラッチ錠３は扉１の室内側と室外側のいずれから操作しても同様に動作する。
【００９７】
また、プッシュ側ハンドルとプル側ハンドルを同時に操作すると、押圧片７１が左方に移動して揺動部材６５の対向部６７を押圧すると共に、押圧片７２が右方に移動してリンク部材２３の対向部６８を押圧する。そのため、室内から室外へ出るとき、及び、室外から室内に入るときに、一時的に両ハンドルを操作し、その後、一方のハンドルから手を離しても、ラッチ６は反転可能な状態を継続し、図１８（ａ）、図１８（ｂ）に示す様に突出せず、図１７に示すラッチケース７内に退入した状態を維持することができる。よって、扉１の開閉時にラッチ錠３に起因する音の発生を良好に抑制することができる。
【００９８】
上述の実施形態では、リンク機構部７６にリンク部材２３と牽引部材２９を設け、牽引部材２９で押圧部材８を退入方向へ牽引する場合を説明したが、この牽引部材２９を省略することもできる。すなわち、牽引部材２９を省略し、図７（ｂ）に示すリンク部材２３の一対のアーム部４３ａ、４３ｂで押圧部材８の後端フランジ部５６を退入側に牽引することもできる。具体的には、リンク部材２３の一対のアーム部４３ａ、４３ｂに、
符号７３で示す部分を支持部とする。一対のアーム部４３ａ、４３ｂの間隔を、両アーム部４３ａ、４３ｂの間に押圧部材８をちょうど配置できる程度に設定し、支持部７３の退入側の端面に後端フランジ部５６を当接させる。扉１に設けられた図示しないプッシュ側ハンドル又はプル側ハンドルを操作し、押圧片７１又は７２が揺動部材６５の対向部６７又はリンク部材２３の対向部６８を押圧すると、揺動部材６５が回動軸部４１ａを中心に反時計回りに回動し、係合部２５がラッチ６の係合凹部３８から外れると共に、リンク部材２３が回動軸部４２ａを中心に時計回りに回動し、支持部７３が退入側へ移動する。そのため、押圧部材８は退入側へ牽引され、押圧部材８の先端部８ａがラッチ６の側面部１５から離れる。
すなわち、この場合には、リンク部材２３が牽引部材として機能する。
リンク部材２３が押圧部材８を退入側に十分に牽引できる様に、リンク部材２３の回動角を確保する。
【符号の説明】
【００９９】
１    扉
３    ラッチ錠
５    錠箱（本体箱）
６    ラッチ
８    押圧部材
９    圧縮ばね（付勢部材）
２３  リンク部材
２５  係合部（ラッチ係合部）
４１ａ  揺動部材の回動軸部（反転阻止部材側固定回動軸）
４２ａ  リンク部材の回動軸部（リンク部材側固定回動軸）
４７  連結部材（連結軸）
６５  揺動部材（反転阻止部材）
７１、７２  押圧片（駆動機構）
７６  リンク機構部
【図１】
2018141340.tif 000003
【図２】
2018141340.tif 000004
【図３】
2018141340.tif 000005
【図４】
2018141340.tif 000006
【図５】
2018141340.tif 000007
【図６】
2018141340.tif 000008
【図７】
2018141340.tif 000009
【図８】
2018141340.tif 000010
【図９】
2018141340.tif 000011
【図１０】
2018141340.tif 000012
【図１１】
2018141340.tif 000013
【図１２】
2018141340.tif 000014
【図１３】
2018141340.tif 000015
【図１４】
2018141340.tif 000016
【図１５】
2018141340.tif 000017
【図１６】
2018141340.tif 000018
【図１７】
2018141340.tif 000019
【図１８】
2018141340.tif 000020
【図１９】
2018141340.tif 000021